(57)【要約】【課題】短時間で被加熱物の温度を目標温度に到達させ、且つ、その目標温度に対する過渡的な温度が異常に高くなるのを防止でき、特別な操作をせずに負荷の温度を短時間で適温にする予熱が可能な誘導加熱調理器を提供すること。【解決手段】調理容器２から放射されトッププレート１を透過した赤外線を検出する赤外線センサ５を有し、制御部６が加熱モードで動作中に赤外線センサ５の出力が１００℃以上に設定した所定温度になった場合に制御部６の動作モードが予熱モードに移行する構成とすることにより、調理容器２の温度を短時間で適温にする予熱が可能となり、かつ予熱モードに設定する操作を自動的に行うことができる。【選択図】図４
2010123366.tif 000002
【特許請求の範囲】
【請求項１】
赤外線が透過する材料で形成されたトッププレートと、前記トッププレート上に載置された負荷を誘導加熱する加熱コイルと、前記加熱コイルに高周波電流を供給するインバータと、操作して設定出力を変更するための火力設定変更部を有し、前記負荷から放射され前記トッププレートを透過した赤外線を検出する赤外線センサと、前記設定出力以下に加熱出力を制御する加熱モード及び前記赤外線センサの出力値に基づいて前記インバータの出力を制御して前記負荷の温度を所定温度以下に制御する予熱モードを有する制御部とを備え、前記制御部は、前記加熱モードで動作し且つ前記赤外線センサの出力が１００℃以上に設定した所定温度になった場合に、前記予熱モードに移行する誘導加熱調理器。
【請求項２】
制御部は、予熱モードに移行すると第１の加熱出力で加熱し、赤外線センサによる負荷の温度の検出温度が第１の目標温度を超えると、前記第１の加熱出力より低い第２の加熱出力で加熱し赤外線センサによる負荷の温度の検出温度が第２の目標温度以下となるように加熱出力を制御する予熱保温モードに移行し、前記予熱モード中において火力設定変更部による設定出力の変更を禁止する請求項１に記載の誘導加熱調理器。
【請求項３】
制御部は、予熱保温モードで動作中に火力設定変更部による設定出力の変更操作がされると、加熱モードに移行する請求項１または２に記載の誘導加熱調理器。
【請求項４】
赤外線センサは、負荷の温度が所定温度になるまで出力値の変化が略ゼロで、負荷の温度が前記所定温度を超えると出力値がべき乗関数的に増加する特性を備え、制御部は、予熱モードに移行すると第１の加熱出力で加熱開始し、加熱開始時における前記赤外線センサの出力値に対する前記赤外線センサの出力値の増加量が第１の増加量を超えると、前記第１の加熱出力より低い第２の加熱出力で加熱し、前記赤外線センサの出力値の増加量が第２の増加量以下になるように加熱出力を制御する予熱保温モードに移行する請求項１に記載の誘導加熱調理器。
【請求項５】
報知部を備え、制御部が予熱保温モードに移行すると、報知部は予熱保温モードに移行した旨を報知する請求項４に記載の誘導加熱調理器。
【請求項６】
予熱モード表示部を備え、制御部が予熱モードに移行すると、前記予熱モード表示部は予熱モードに移行した旨を表示する請求項１〜５のいずれか１項に記載の誘導加熱調理器。
【請求項７】
赤外線センサは加熱コイルの巻線の半径方向の途中に形成された隙間の下方に設けられ、前記隙間の上部に位置する負荷の底面から放射される赤外線を検知する構成とした請求項１〜６のいずれか１項に記載の誘導加熱調理器。
【請求項８】
前記赤外線センサは、インジウムガリウムヒ素のフォトダイオードを備え、負荷から放射される赤外線を前記インジウムガリウムヒ素のフォトダイオードで検出した検出信号を増幅器により増幅した電圧を出力する請求項４に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、サーミスタなどの感熱素子をトッププレートの下面に接するように設けて、感熱素子により調理容器の底面温度をトッププレートが介在した状態で検出し、検出した温度が目標温度と一致するように加熱制御している。例えば、揚げ物調理を行う前に調理容器の予熱を行う場合は、感熱素子の検出温度が予熱時の目標温度に到達するように制御している。
【０００３】
加熱中の調理容器の底面温度の上昇率は、揚げ物調理のように鍋に大量の油や食材が入っている場合は緩やかであるが、炒め物調理のようにフライパンに少量油しか投入されていない場合は急激である。
【０００４】
一方、感熱素子は、調理容器からトッププレートに伝導された熱を検出することによってトッププレートの上に載置されている調理容器の底面温度を検出するため、調理容器の底面温度に対する応答性が良くない。そのため調理容器の底面温度が急激に上昇した場合は、実際の調理容器の底面温度と感熱素子による検出温度との誤差が大きくなる。
【０００５】
また、これにより、実際の調理容器の底面温度が目標温度に達していても検知できず加熱を継続してしまい、調理容器の底面温度が目標温度を大幅に超えてしまう場合があり、従来の誘導加熱調理器には、調理容器の底面温度勾配を検出することによって温度勾配が所定の温度勾配よりも急なときは加熱を停止することによって調理容器の底面温度が危険温度に到達しないように加熱コイルを制御しているものもある（例えば、特許文献１参照）。
【特許文献１】特開昭６４−３３８８１号公報
【発明の開示】
【発明が解決しようとする課題】
【０００６】
しかしながら、前記従来の構成では、調理容器に投入される被調理物の量が少ないとき、例えば、野菜を入れる前に少量油を調理容器に入れて予熱をする目的で加熱調理を開始するような炒め物調理時に予熱に適した目標温度に到達した時に加熱停止しようとしても加熱停止が遅れる場合があった。
【０００７】
すなわち感熱素子は、トッププレートの下面の温度を検出することによって調理容器の底面温度を検出するため、トッププレートが感熱素子と調理容器の底面との間に介在していることにより、検出温度と実際の調理容器の底面温度とに大きな違いが生じる。
【０００８】
さらに、調理容器の底面が反っている場合は調理容器の底面とトッププレートとの間に大きな隙間ができ、調理容器の底面温度がトッププレートに伝わりにくくなるため感熱素子の検出温度の温度勾配が実際の調理容器の底面の温度勾配と比較して、さらに、緩やかになる。そのため加熱停止がさらに遅れる場合があった。
【０００９】
また、調理容器の底面の厚みが薄い場合の調理容器の底面温度は、底面が厚い場合に比べさらに急激に上昇する。
【００１０】
このように、調理容器の底面からトッププレート下面に設けられた感熱素子に熱が伝わ
るのには時間を要するばかりでなく、その時間遅れは、調理容器の底面形状により異なり一定でない。
【００１１】
そのため感熱素子の検出温度の温度勾配で加熱を継続するか停止するかを判断すると、調理容器の形状のばらつきに対応した適性な調理ができなくなる。すなわち、感熱素子の検出温度が同じ傾きであったとしても、感熱素子の温度が目標温度に到達して加熱を停止した場合に、調理容器の底面が目標温度に到達するまでの時間が、ある場合には加熱停止が早すぎ、ある場合には検出するまでに時間的な遅れが生じ加熱停止が遅れることがあった。
【００１２】
このように、従来の誘導加熱調理器のようにトッププレート裏面に設けられた感熱素子の検出温度に基づいて算出される温度勾配に基づいて加熱の停止を制御すると、加熱の停止が遅れる場合、逆に加熱停止が早すぎる場合があった。
【００１３】
また、負荷が小さい場合に従来の誘導加熱調理器で調理容器の底面温度が目標温度を超えないように目標温度に到達するためには、低火力で加熱を開始せざるを得ない。
【００１４】
しかしこの場合、調理容器の底面温度が目標温度に到達するまでの時間が長くなるという問題が生じる。
【００１５】
よって、従来の誘導加熱調理器は負荷が小さい場合、例えば炒め物調理を少量油で開始する際に短時間で被加熱物の温度を目標温度に到達させ、且つ過度のオーバーシュートを抑制させることができないという課題を有していた。
【００１６】
そのため、フライパンを使用した炒め物などの調理時に短時間で予熱を完了させることはできなかった。
【００１７】
本発明は、前記従来の課題を解決するもので、被加熱物の底面の板厚が薄い場合であっても短時間で被加熱物の温度を目標温度に到達させ、且つ、その目標温度に対する過渡的な温度が異常に高くなるのを防止でき、かつ、特別な選択操作をすることなく自動で予熱を実施することができる誘導加熱調理器を提供することを目的とする。
【課題を解決するための手段】
【００１８】
前記従来の課題を解決するために、本発明の誘導加熱調理器は、負荷から放射されトッププレートを透過した赤外線を検出する赤外線センサと、設定出力以下に加熱出力を制御する加熱モード及び赤外線センサの出力値に基づいてインバータの出力を制御して負荷の温度を所定温度以下に制御する予熱モードを有する制御部とを備え、制御部は、加熱モードで動作しかつ前記赤外線センサの出力が１００℃以上に設定した所定温度になった場合に、予熱モードに移行する構成としたものである。
【００１９】
これによって、容易な操作で目標温度に短時間で立ち上げ、且つ、オーバーシュートが少ない予熱を自動的に実施することができる。
【発明の効果】
【００２０】
本発明の誘導加熱調理器は、容易な操作で目標温度に短時間で立ち上げオーバーシュートが少ない自動予熱を可能とすることができる。
【発明を実施するための最良の形態】
【００２１】
第１の発明は、赤外線が透過する材料で形成されたトッププレートと、前記トッププレート上に載置された負荷を誘導加熱する加熱コイルと、前記加熱コイルに高周波電流を供
給するインバータと、操作して設定出力を変更するための火力設定変更部を有し、前記負荷から放射され前記トッププレートを透過した赤外線を検出する赤外線センサと、前記設定出力以下に加熱出力を制御する加熱モード及び前記赤外線センサの出力値に基づいて前記インバータの出力を制御して前記負荷の温度を所定温度以下に制御する予熱モードを有する制御部とを備え、前記制御部は、前記加熱モードで動作し且つ前記赤外線センサの出力が１００℃以上に設定した所定温度になった場合に、前記予熱モードに移行することにより、目標温度に短時間で立ち上げかつオーバーシュートが少ない自動予熱が可能となる。
【００２２】
第２の発明は、特に、第１の発明の制御部を、予熱モードに移行すると第１の加熱出力で加熱し、赤外線センサによる負荷の温度の検出温度が第１の目標温度を超えると、前記第１の加熱出力より低い第２の加熱出力で加熱し赤外線センサによる負荷の温度の検出温度が第２の目標温度以下となるように加熱出力を制御する予熱保温モードに移行し、前記予熱モード中において火力設定変更部による設定出力の変更を禁止することにより、使用者の設定変更により加熱出力が変更されないので、予め決められた第１の加熱出力で安定して短時間に調理容器を第１の目標温度に到達させることができる。
【００２３】
また、第１の目標温度に到達した後は、第１の加熱出力より低い第２の加熱出力でさらに安定して第２の目標温度を超えないように保温することができる。なお、第１の目標温度と第２の目標温度は同一でも異なる温度でもよい。容器の変色などを防止するためには、第２の目標温度を第１の目標温度以下にすることが望ましい。
【００２４】
第３の発明は、特に、第１または第２の発明の制御部を、予熱保温モードで動作中に火力設定変更部による設定出力の変更操作がされると、加熱モードに移行することにより、加熱モードに簡単に移行することができ操作が簡単になる。
【００２５】
第４の発明は、特に第１の発明の赤外線センサは、負荷の温度が所定温度になるまで出力値の変化が略ゼロで、負荷の温度が前記所定温度を超えると出力値がべき乗関数的に増加する特性を備え、制御部は、予熱モードに移行すると第１の加熱出力で加熱開始し、加熱開始時における前記赤外線センサの出力値に対する前記赤外線センサの出力値の増加量が第１の増加量を超えると、前記第１の加熱出力より低い第２の加熱出力で加熱する予熱保温モードに移行することにより、静的な外乱光の影響を抑制することができる。
【００２６】
また、負荷の温度が高くなればなるほど、すなわち赤外線の受光量が多くなればなるほど、赤外線センサの出力は、その大きさの増加の傾きが増大し、当該出力値の大きさが急激に（べき乗関数的に）増大する出力特性を検出するので、加熱開始時点の負荷の温度に大きく影響されずに、実用上許容できる程度の温度範囲内で予熱を完了させ、且つ予熱完了後の負荷の温度を適度な温度に保つことができる。
【００２７】
加熱開始時点の負荷の温度が、赤外線センサの出力値が立ち上がる所定温度より低い場合、出力値の変化が略ゼロであるので、赤外線センサの出力値の増加量ΔＶに影響せず、加熱開始時点の負荷の温度が検知温度に影響しない。
【００２８】
加熱開始時点の負荷の温度が、赤外線センサの出力値が立ち上がる所定温度より高い場合であっても、負荷の温度が高くなればなるほど赤外線センサの出力は、その大きさの増加の傾きが増大し、当該出力値の大きさが急激に（べき乗関数的に）増大するので、加熱開始時点の負荷の温度差による、予熱完了を検知した時点の負荷の検知温度差は、実用上許容できる程度に抑制される。
【００２９】
また、絶対温度に換算する必要がないので、調理容器２の放射率のバラツキの影響を受
け難い。したがって、赤外線センサを採用して過渡的な温度が異常に高くなることのない予熱機能を、誤動作を抑制し安定して提供することが簡単な構成で実現することができる。
【００３０】
第５の発明は、特に、第４の発明の報知部を備え、制御部が予熱保温モードに移行すると、報知部は予熱保温モードに移行した旨を報知することにより、報知により予熱が完了したことを認知してからすぐに被調理物を負荷である調理容器内に投入することを可能にすることができる。
【００３１】
第６の発明は、特に、第１〜５のいずれかの１つの発明の予熱モード表示部を備え、制御部が予熱モードに移行すると、予熱モード表示部は予熱モードに移行した旨を表示することにより、表示により予熱が完了したことを認知してからすぐに被調理物を負荷である調理容器内に投入することを可能にすることができる。
【００３２】
第７の発明は、特に、第１〜６のいずれか１つの発明の赤外線センサは、加熱コイルの巻線の半径方向の途中に形成された隙間の下方に設けられ、前記隙間の上部に位置する負荷の底面から放射される赤外線を検知することにより、比較的高温となる負荷の部分の温度を検出することができるので、予熱動作において、負荷の温度を目標温度に立ち上げオーバーシュートしないように加熱出力を制御する際の温度精度を高くすることができる。
【００３３】
第８の発明は、特に、第４の発明の赤外線センサは、インジウムガリウムヒ素のフォトダイオードを備え、インジウムガリウムヒ素のフォトダイオードで検出した検出信号を増幅器により増幅した電圧を出力することにより、シリコンのフォトダイオードに比べより長波長領域においてより高感度に赤外線を検出できるため、より調理容器２の低温での温度の検知精度を高くすることができる。
【００３４】
以下、本発明の実施の形態について、図面を参照しながら説明する。なお、この実施の形態によって本発明が限定されるものではない。
【００３５】
（実施の形態１）
本発明について炒め物等の調理を実施する準備として予熱を行う場合に基づいて説明する。
【００３６】
図１は、本発明の第１の実施の形態における誘導加熱調理器の部分断面構成および回路構成を示すブロック図、図２は、本発明の第１の実施の形態における誘導加熱調理器の操作部および表示部の構成を示す部分平面図、図３は、本発明の第１の実施の形態における誘導加熱調理器の赤外線センサの出力信号の特性図を示すものである。
【００３７】
図１において、トッププレート１は赤外線を透過する結晶化ガラスで構成し、その表面または裏面に印刷により必要な表示等が施されている。その下側に加熱コイル３を設置し、インバータ４にて商用電源を高周波に変換して加熱コイル３に供給し、加熱コイル３に対向してトッププレート１上に載置された負荷である調理容器２を誘導加熱して調理を行う。
【００３８】
インバータ４は、制御部６により赤外線センサ５の出力や操作部７にある火力設定変更部１１で設定された加熱出力以下となるように加熱出力が制御される。加熱コイル３は、調理容器２が加熱されたときの温度分布をより平均化するため外側コイル３ａと内側コイル３ｂとで分割されて巻回されている。
【００３９】
赤外線センサ５は、加熱コイル３の高周波磁界が加熱コイル３中央部分より強く、加熱
コイル３中央部分に対向する調理容器２の底面より高い底面温度を検出できる加熱コイル３の外側コイル３ａと内側コイル３ｂとの間の隙間３ｃの下方に設けている。
【００４０】
調理容器２の底面から放射された赤外線は、トッププレート１を通って入射し赤外線センサ５に受光される。赤外線センサ５は、検出した赤外線量に基づいた赤外線検出信号を制御部６に出力する。
【００４１】
赤外線センサ５はインジウムガリウムヒ素のフォトダイオード素子等、量子型の赤外線検出素子と増幅器を用いて構成されており、おおよそ１５０℃以上の温度域において急激に立ち上がる出力が得られるように、赤外線検出素子の最大感度波長領域が選択され、増幅器の増幅率が設定されている（図３参照）。
【００４２】
操作部７は、図２に示すように、タッチキーで構成され、火力（加熱出力のことを言う。以下同じ。）の設定をおこなう火力設定変更部１１と、停止時に操作すると加熱を開始する加熱開始部および加熱時に操作すると加熱を停止する加熱停止部を兼用した加熱入／切キー１３を備えている。
【００４３】
火力設定変更部１１は、押すごとに出力設定値を１段階ずつ減少させ出力を低下させるダウンキー１１ａと、押すごとに出力設定値を１段階ずつ増加させるアップキー１１ｂにより構成されている。
【００４４】
出力を低下させる意味を示す表示としては、図２に示すような三角形で左方向を示すマークに限るものではなく、例えば左向きの矢印でもよい。また、出力を低下させる意味を示す表示として左方向を示すマークである必要は無く、例えば下方向でもよい。また、出力を低下させる意味を示す表示として、例えば「ＤＯＷＮ」等の文字を表記しても良い。出力を増加させる意味を示す表示も同様で、例えば、右方向を示すマーク、「ＵＰ」等の文字を付することができる。また、これらの表示は、図２のようにキーの内側またはキーの近傍に表記することができる。
【００４５】
表示部９は、火力表示部である火力表示ＬＥＤ１４と予熱モード表示部である「予熱」表示ＬＥＤ１２を備える。火力表示部１４は、出力設定作業をし易くするため、火力設定変更部１１の上方近傍に配置される。火力表示ＬＥＤ１４は横方向に配列された複数のＬＥＤで構成され、ＬＥＤの点灯数の多少により設定された加熱出力の大小を表示する。
【００４６】
予熱モード選択部であるアップキー１１により予熱モードが選択されると、予熱モード表示部である「予熱」表示ＬＥＤ１２が点灯する。表示部９の表示素子は、ＬＥＤに限定されず、例えば、液晶表示素子でも他の表示素子を採用してもよい。
【００４７】
図３の赤外線センサ５の出力信号の特性図において、横軸は調理容器などの調理容器２の底面温度であり、縦軸は赤外線センサ５が出力する赤外線検出信号の電圧値を示す。
【００４８】
赤外線検出信号は、外乱光の影響に基づく出力特性３５ａ〜３５ｃを有する。出力特性３５ａは、外乱光が入っていない場合、すなわち調理容器２から放射される赤外線のみを受光した場合の赤外線検出信号の出力を示している。
【００４９】
出力特性３５ｂは、赤外線センサ５に弱い外乱光が入射している場合の赤外線検出信号の出力を示している。出力特性３５ｃは、例えば、太陽光等の強い外乱光が入っている場合の赤外線検出信号の出力を示している。
【００５０】
赤外線検出信号の出力値は、信号を出力する範囲、すなわち、調理容器２の温度が約１
５０℃以上になると、調理容器２の温度が高くなればなるほど増加の傾きが増加する非線形的な単調増加特性を示し、べき乗関数的に増加する。
【００５１】
赤外線センサ５に弱い外乱光が入射している場合は、出力特性３５ｂで示すように、約１５０℃未満のときであっても外乱光による小さな値の信号が出力される。また、太陽光等の強い外乱光が入っている場合は、出力特性３５ｃのように、約１５０℃未満のときであっても、大きな値の信号が出力される。
【００５２】
このように、赤外線センサ５から出力される赤外線検出信号３５（３５ａ、３５ｂ、３５ｃ）は外乱光による影響を受けてしまう。
【００５３】
そこで、本実施の形態において、予熱の完了、すなわち、調理容器２が目標温度に達したかどうかは、予熱を開始したときからの赤外線検出信号３５（３５ａ、３５ｂ、３５ｃ）の増加量ΔＶが予め設定された第１の増加量ΔＶ１を超えたかどうかによって判断する。
【００５４】
以上のように構成された誘導加熱調理器について、以下その動作、作用を説明する。
【００５５】
まず、電源スイッチ（図示せず）を投入すると、制御部６の制御モードが「待機モード」となり、「待機モード」で操作部７の加熱入／切キー１３を押すと、制御モードは「加熱モード」に移行し、予め決められた火力が設定されて調理容器２の加熱を開始することができる。「待機モード」以外の動作モードであるときに、加熱入／切キー１３を押すと、「待機モード」に移行する。
【００５６】
「加熱モード」において、設定された火力の変更は、火力設定変更部１１のダウンキー１１ａまたはアップキー１１ｂを押すことによりおこなえ、その上部にある火力表示部（「保温」〜「９」）１４に変更後の設定出力が表示される。
【００５７】
火力表示部１４はＬＥＤからなっており、設定された火力に応じた数のＬＥＤを点灯させることで設定された火力を知らしめるものである。
【００５８】
また、「加熱モード」において、ダウンキー１１ａを押すと火力が下がり、アップキー１１ｂを押すと火力を上げることができ、「保温」を最小設定出力、火力「９」を最大設定出力としている。
【００５９】
図４は、本発明の第１の実施の形態における誘導加熱調理器の赤外線センサの出力と加熱出力の関係を示す制御特性図である。
【００６０】
図４で示すように「加熱モード」で動作中は、調理容器２は第１の加熱出力で加熱され底面の温度は上昇する。赤外線センサ５の出力が所定温度の１６０℃以上になった場合は炒め物など高温での調理をしようとしていると判断し、制御部６は「予熱モード」で加熱動作を行うようにすることを選択する。
【００６１】
予熱モードが選択されると「予熱」表示ＬＥＤ１２が点灯する。ここで、予熱モードとは、炒め物など高温で調理をすることが必要な調理を行うため設けられた制御モードで、野菜などの被調理物をフライパン等の調理容器２に投入する前に調理容器２を予熱に適した温度に達するまで所定の加熱出力で加熱し、その後、前記所定の火力より小さな加熱出力で保温する予熱工程を行う制御モードである。
【００６２】
「予熱モード」に移行すると、制御部６は、加熱コイル３の加熱出力を第１の加熱出力
で調理容器２を加熱する。調理容器２に被調理物が投入されていない場合には、調理容器２の底面の温度は急な温度勾配で上昇する。
【００６３】
制御部６は、調理容器２が目標温度に達したかどうかを、「予熱モード」に移行後、予熱を開始したときからの赤外線検出信号３５の増加量ΔＶが第１の増加量ΔＶ１を超えたかどうかによって判断する。
【００６４】
上記の構成により、図４に示すように、赤外線センサ５の出力信号の大きさは、負荷である調理容器２の温度上昇に応じて増大する。
【００６５】
赤外線センサ５の出力の増加量ΔＶが第１の増加量ΔＶ１となったときに負荷である調理容器の温度が炒め物に必要な略２６０℃となるよう第１の増加量ΔＶ１を設定している。
【００６６】
制御部６は、赤外線センサ５の出力信号の増加量ΔＶが第１の増加量ΔＶ１となった時に、予熱保温モードに移行し、第１の加熱出力より小さく設定された第２の加熱出力に火力を切り替え、報知部８を駆動する。報知部８は、炒め物が開始できる温度に達したことを使用者に報知するためのものである。
【００６７】
「予熱保温モード」に移行後、使用者により火力設定が行われるまでの間、増加量ΔＶが第１の増加量ΔＶ１またはそれに近い値に維持されることで、予熱完了時の調理容器２の温度を維持する。
【００６８】
「予熱モード」および「予熱保温モード」にあるときは「予熱」表示ＬＥＤ１２が点灯する。
【００６９】
「予熱保温モード」で動作中において、ダウンキー１１ａとアップキー１１ｂのいずれかを操作すると「加熱モード」に移行することができるが、「予熱モード」で動作中においては、予熱完了の検出精度を高めるため、ダウンキー１１ａとアップキー１１ｂのいずれを操作しても「加熱モード」に移行することができないように構成している。
【００７０】
「予熱モード」に移行したとき、火力表示ＬＥＤ１４による設定出力の表示をおこなわない。これにより、「予熱モード」に移行したことを理解しやすくなる。
【００７１】
なお、「予熱保温モード」にあるとき、第２の加熱出力に対応する出力表示を火力表示ＬＥＤ１４で行ってもよい。これにより、「予熱モード」で動作中には、ダウンキー１１ａとアップキー１１ｂのいずれを操作しても「加熱モード」に移行することができないことを理解しやすくなる。
【００７２】
図４の点線で示すように、炒め物などの高温の調理でない場合、たとえば湯沸し、煮込みなどのより低温の調理では調理容器に水を含んだ調理物が入っており、たとえ火力設定を最高としても調理物温度は１００℃近傍となり、調理容器の底面温度も１００℃近傍となる。
【００７３】
このことからより低温の調理では加熱モードを継続し、予熱モードに移行することはなく調理の利便性が高い誘導加熱調理器を実現しているものである。
【００７４】
以上のように、「予熱モード」および「予熱待機モード」において、加熱開始時点からの赤外線センサ５の出力信号３５の増加量ΔＶを検出して、調理容器２の温度を検出する構成とすることにより、静的な外乱光の影響を抑制することができる。
【００７５】
また、インジウムガリウムヒ素のフォトダイオードを備えた赤外線センサ５の図３に示すような出力特性を利用して、加熱開始時点からの赤外線センサ５の出力の増加量ΔＶが第１の増加量ΔＶ１に到達したことを検出すると調理容器２の温度が目標温度に到達したことを検出することにより、加熱開始時点の調理容器２の温度に大きく影響されずに、実用上許容できる程度の温度範囲内で予熱を完了させ、且つ予熱完了後の調理容器２の温度を適度な温度に保つことができる。
【００７６】
すなわち、加熱開始時点の調理容器２の温度が、赤外線センサ５の出力が検出できる程度の温度である場合、例えば、図３で約１５０℃より高い場合であっても、調理容器２の温度が高くなればなるほど赤外線センサ５の出力は、その大きさの増加の傾きが増大し、当該出力値の大きさが急激に（べき乗関数的に）増大するので、加熱開始時点の、調理容器２の温度の差による、予熱完了を検知した時点の調理容器２の温度差は、実用上許容できる程度に抑制される。
【００７７】
また、赤外線センサの検出出力を絶対温度に換算する必要がないので、調理容器２の放射率のバラツキの影響を受け難い。
【００７８】
インジウムガリウムヒ素のフォトダイオードの感度波長帯域は、例えば、最大感度を得られる波長を、例えば０．９μｍ〜１．６μｍ（最大感度波長は略１．５μｍ）に設定することができる。
【００７９】
インジウムガリウムヒ素のフォトダイオードで検出した検出信号を増幅器により増幅した電圧を出力することにより、調理容器２の温度が約１５０℃以上で実質的な出力を得ることができ、その温度より低い温度では実質的な出力は得られず調理容器２の温度変化に対する出力信号の変化はほとんどゼロである。
【００８０】
このように、調理容器２の温度が、例えば略１５０℃〜略２３０℃の温度の検知精度を高くし、例えば、揚げ物の温度調節を赤外線センサを利用しておこなうことが可能な誘導加熱調理器を実現することができる。
【００８１】
また、炒め物が開始できる温度に達したことを使用者に報知するため、報知部８を駆動する。報知部８はブザーで報知してもよいし、音声合成で報知するようにしてもよい。これにより使用者は調理物を適切なタイミングで調理容器に投入して調理することが可能になる。
【００８２】
以上のように、本実施の形態においては、調理容器２から放射されトッププレート１を透過した赤外線を検出する赤外線センサ５と、設定出力を可変するための火力設定変更部であるダウンキー１１ａとアップキー１１ｂとを有し、制御部６は、加熱モードで動作中において赤外線センサの出力が１００℃以上に設定した所定温度になった場合に、予熱モードに移行する構成とすることにより、予熱モード設定キーを新たに設ける必要がなくかつ予熱モードの設定も自動的に行え、また、鍋の温度変化に対する検出遅れも極めて少ないので、調理物が投入されていないため温度が急激に上昇する調理容器２も比較的大きな火力で加熱して短時間で目標温度に異常なオーバーシュートもなく到達させ、安定した適温の温度で保温することができる。
【００８３】
また、制御部６は、予熱モードに移行すると第１の加熱出力で加熱し、赤外線センサ５による調理容器２の温度の検出温度が第１の目標温度を超えると、第１の加熱出力より低い第２の加熱出力で加熱し赤外線センサ５による調理容器２の温度の検出温度が第２の目標温度以下となるように加熱出力を制御する予熱保温モードに移行し、予熱モード中にお
いて火力設定変更部１１による設定出力の変更を禁止することにより、使用者の設定変更により加熱出力が変更されないので、予め決められた第１の加熱出力で安定して短時間に調理容器を第１の目標温度に到達させることができる。
【００８４】
また、第１の目標温度に到達した後は、第１の加熱出力より低い第２の加熱出力でさらに安定して第２の目標温度を超えないように保温することができる。
【００８５】
なお、第１の目標温度と第２の目標温度は同一でも異なる温度でもよい。容器の変色などを防止するためには、第２の目標温度を第１の目標温度以下にすることが望ましい。
【００８６】
また、制御部６は、予熱保温モードで動作中に火力設定変更部１１による設定出力の変更操作がされると、加熱モードに移行することにより、加熱モードに簡単に移行することができ操作が簡単になる。
【００８７】
また、赤外線センサ５は、調理容器２の温度が所定温度になるまで出力値の変化が略ゼロで、調理容器２の温度が所定温度を超えると出力値がべき乗関数的に増加する特性を備え、制御部６は、予熱モードに移行すると第１の加熱出力で加熱開始し、加熱開始時における赤外線センサ５の出力値に対する赤外線センサ５の出力値の増加量が第１の増加量を超えると、第１の加熱出力より低い第２の加熱出力で加熱する予熱保温モードに移行することにより、外乱光の影響を抑制しつつ簡単な構成で精度良く赤外線センサ５による調理容器２の温度検出をすることができるので、予熱性能を安定して高めた安価な誘導加熱調理器を提供することができる。
【００８８】
また、制御部６が予熱保温モードに移行すると、報知部８または、予熱モード表示部９は予熱保温モードに移行した旨を報知することにより、報知部８による報知または予熱モード表示部９による表示により予熱が完了したことを認知してからすぐに被調理物を調理容器２内に投入することを可能とすることができる。
【００８９】
また、赤外線センサ５は、加熱コイル３の巻線の半径方向の途中に形成された隙間３ｃの下方に設けられ、隙間３ｃの上部に位置する調理容器２の底面から放射される赤外線を検知することにより、比較的高温となる調理容器２の部分の温度を検出することができるので、予熱動作において、負荷の温度を目標温度に立ち上げオーバーシュートしないように加熱出力を制御する際の温度精度を高くすることができる。
【００９０】
また、赤外線センサ５は、インジウムガリウムヒ素のフォトダイオードを備え、インジウムガリウムヒ素のフォトダイオードで検出した検出信号を増幅器により増幅した電圧を出力することにより、より長波長領域においてより高感度に赤外線を検出できるため、調理容器２の温度が例えば１５０℃近傍で低温での温度の検知精度を高くし、揚げ物の温度調節をおこなうことを可能とすることができる。
【産業上の利用可能性】
【００９１】
以上のように、本発明にかかる誘導加熱調理器は、容易な操作で目標温度に短時間で立ち上げオーバーシュートが少ない自動予熱を可能とすることができるので、家庭用だけでなく業務用誘導加熱調理器等の用途にも有効である。
【図面の簡単な説明】
【００９２】
【図１】本発明の実施の形態１における誘導加熱調理器の部分断面構成および回路構成を示すブロック図
【図２】本発明の実施の形態１における誘導加熱調理器の操作部および表示部の構成を示す部分平面図
【図３】本発明の実施の形態１における誘導加熱調理器の赤外線センサの出力信号の特性図
【図４】本発明の実施の形態１における誘導加熱調理器の赤外線センサの出力と加熱出力の関係を示す制御特性図
【符号の説明】
【００９３】
１  トッププレート
２  調理容器（負荷）
３  加熱コイル
３ａ  外側コイル
３ｂ  内側コイル
３ｃ  隙間
４  インバータ
５  赤外線センサ
６  制御部
７  操作部
８  報知部
９  表示部
１１  火力設定変更部
１１ａ  ダウンキー（火力設定変更部）
１１ｂ  アップキー（火力設定変更部）
１２  予熱表示ＬＥＤ（予熱表示部）
１３  加熱入／切キー
１４  火力表示部
３５  赤外線検出信号
【図１】
2010123366.tif 000003
【図２】
2010123366.tif 000004
【図３】
2010123366.tif 000005
【図４】
2010123366.tif 000006